(57)【要約】【課題】建物等における隠蔽鉄材の錆の発生を、破壊を行うことなく診断することができる、隠蔽鉄材の錆発生診断方法及び同診断システムを提供する。【解決手段】隠蔽鉄材２と接触状態に備えられている木４の含水率を隠蔽鉄材近傍位置において測定することで、隠蔽鉄材２の錆発生の有無を診断する。具体的には、例えば、隠蔽鉄材２と接触状態に備えられる木４の隠蔽鉄材近傍位置に、木含水率測定用のセンサーが木含水率検知可能にセットされているとよい。【選択図】      図１
2005106571.tif 000002
【特許請求の範囲】
【請求項１】
隠蔽鉄材と接触状態に備えられている木の含水率を隠蔽鉄材近傍位置において測定することで、隠蔽鉄材の錆発生の有無を診断することを特徴とする隠蔽鉄材の錆発生診断方法。
【請求項２】
隠蔽鉄材と接触状態に備えられる木の隠蔽鉄材近傍位置に、木含水率測定用のセンサーが木含水率検知可能にセットされていることを特徴とする隠蔽鉄材の錆発生診断システム。
【請求項３】
隠蔽鉄材と接触状態に備えられる木の隠蔽鉄材近傍位置が、木含水率測定用センサーのアクセス可能な位置に備えられ、該センサーを用いて前記木の含水率を検知することを特徴とする隠蔽鉄材の錆発生診断方法。
【発明の詳細な説明】
【技術分野】
【０００１】
本発明は、建物等の隠れて見えないところに備えられている鉄材の錆の発生を診断するのに用いられる、隠蔽鉄材の錆発生診断方法及び同診断システムに関する。
【背景技術】
【０００２】
例えば鉄骨造建物において、その躯体の鉄骨は壁の内側に隠されていて外部から鉄骨の錆の発生状況を確認することができないため、現状では、錆が発生している疑いのある部分を破壊して鉄骨を露出させ、目視で鉄骨の錆の状況を確認するほかない。
【発明の開示】
【発明が解決しようとする課題】
【０００３】
しかしながら、上記のような確認方法では、破壊を嫌って錆の発見が遅れやすく、また、このような破壊調査は復旧工事が必要になるため時間とコストがかかるという問題がある。
【０００４】
本発明は、上記のような問題点に鑑み、隠蔽鉄材の錆の発生を、破壊を行うことなく診断することができる、隠蔽鉄材の錆発生診断方法及び同診断システムを提供することを課題とする。
【課題を解決するための手段】
【０００５】
上記の課題において、本発明者は、調査と研究を重ねた結果、各種構造物において隠蔽鉄材には木（もく）と接触状態に備えられているものが少なくなく、そして、互いに接触状態にある鉄部と木部とについて、木部の含水率と鉄部の錆の発生状況との関係を調べたところ、木部の含水率が一定以上に高いと鉄部に錆が発生している可能性、あるいは錆が発生する可能性が極めて高いという相関関係があることを突き止めた。
【０００６】
本発明は、発明者のこのような調査と研究による事実解明に基づいてなされたものであって、隠蔽鉄材と接触状態に備えられている木の含水率を隠蔽鉄材近傍位置において測定することで、隠蔽鉄材の錆発生の有無を診断することを特徴とする隠蔽鉄材の錆発生診断方法をその内容とする。
【０００７】
なお、木の含水率については、隠蔽鉄材の防錆処理状況や木の種類によって異なるが、建築に用いられるような一般木材であれば、その含水率が例えば２０％を超えていれば、これと接触している鉄部に錆を発生している、あるいは近いうちに錆を発生する可能性は極めて高いといえる。
【０００８】
上記の方法では、隠蔽鉄材と接触状態に備えられている木の含水率を測定することで隠蔽鉄材の錆の発生の有無を診断するものであるから、隠蔽鉄材を目視したり、木を目視したりする必要がなく、そのため、隠蔽鉄材の錆の発生を、破壊を行うことなく診断することができる。従ってまた、隠蔽鉄材の錆の発生を早期発見することができると共に、錆発生の確認を手間を要さずコスト的に有利に行うことができる。なお、木の含水率の測定は、市販の木含水率測定機器を用いることによって容易に行うことができる。
【０００９】
また、上記の課題は、隠蔽鉄材と接触状態に備えられる木の隠蔽鉄材近傍位置に、木含水率測定用のセンサーが木含水率検知可能にセットされていることを特徴とする隠蔽鉄材の錆発生診断システムによって解決される。
【００１０】
このシステムは、隠蔽鉄材と接触状態に備えられる木に対して、含水率測定のための外部からのアクセスが困難な場合に好適に使えるシステムで、予めセットされた木含水率測定用センサーで検知される信号に基づいて木含水率を把握でき、隠蔽鉄材の錆の発生の有無を、破壊を伴うことなく、診断することができる。
【００１１】
更に、上記の課題は、隠蔽鉄材と接触状態に備えられる木の隠蔽鉄材近傍位置が、木含水率測定用センサーのアクセス可能な位置に備えられ、該センサーを用いて前記木の含水率を検知することを特徴とする隠蔽鉄材の錆発生診断方法によって解決される。
【００１２】
この診断方法では、隠蔽鉄材と接触状態に備えられる木が木含水率測定用センサーのアクセス可能な位置に備えられている場合のもので、センサーを予め木にセットしておく必要がなく、隠蔽鉄材の錆の発生の有無を簡易に診断することができる。
【発明の効果】
【００１３】
本発明は、以上のとおりのものであるから、隠蔽鉄材の錆の発生を、破壊を行うことなく診断することができる。
【発明を実施するための最良の形態】
【００１４】
次に、本発明の実施最良形態を図面に基づいて説明する。
【００１５】
図１乃至図３に示す実施形態は、鉄骨軸組構造の建物における軸組躯体を対象とし、その錆の発生の有無を診断する場合のものである。図３において、１は軸組躯体としての鉄骨柱、２，２は同じく軸組躯体としての構成の外壁パネルフレームであり、これらが本実施形態における隠蔽鉄材である。そして、３，３は外壁面材であり、外壁面材３，３は一般木材からなる下地材４，４を介して鋼製パネルフレーム２に取り付けられると共に、外壁面材３，３間の縦目地５の内部にはバックアップ材６と止水材７とが入れられ、屋外側からでは、鉄骨柱１や鋼製のパネルフレーム２，２を目視することはできない。もちろん、屋内側についても、図示しないけれども、石膏ボード等の内装面材が取り付けられて、鉄骨柱１や鋼製のパネルフレーム２，２を目視することはできない構造になっている。
【００１６】
このような構造において、錆が発生しやすい箇所は、図３において仮想線８，８で囲んだ、下地材４とパネルフレーム２との接触部領域である。ここを外部から目視で確認してパネルフレーム２のこの領域８，８の錆の発生の有無を診断するには、従来であれば、止水材７を撤去し、外壁面材３を取り外し、下地材４を取り除くことが必要があった。
【００１７】
本発明の第１実施形態の診断システムは、その領域８，８における錆の発生の有無を診断するため、図１に示すように、建築の段階、例えば外壁パネルの製作段階や、外壁パネルの建方の前後、あるいは、内装ボートを取り付ける前の段階において、予め、木の下地材４の屋内側の面部であって、パネルフレーム２との接触部の近傍位置に、木含水率測定用のセンサー９が下地材４の肉内に刺込み状態にセットされ、このセンサー９からの信号線１０が床下などに延ばされている。
【００１８】
そして、本実施形態では、床下などに、信号処理器１１と、表示手段の一部を構成する発信機１２が設置され、センサー９からの信号線１０を接続した信号処理器１１において、センサー９からの信号に基づいて含水率が求められ、その測定含水率が、錆発生の判断基準である設定含水率を超えている場合に、発信機１２にその旨の信号が出力され、発信機１２から錆発生の警報表示信号が発せられるようになされている。
【００１９】
この診断システムでは、下地材４の含水率が高くなって設定含水率を越えていると、センサー９がそれを検知し、その信号に基づいて信号処理器１１が発信機１２に信号を送り、発信機１２から警報表示信号が出力される。この警報表示信号によって、下地材４の木の含水率が設定含水率を越えていることを知ることができ、図３に示す領域８に錆が発生していると判断することができる。なお、警報は光、音など、ヒトの五感に訴えるかたちでなされるものであればよい。
【００２０】
このように、本システムによれば、隠蔽されている鋼製パネルフレーム２や鉄骨柱１を、外壁面材３，３や止水材７、下地材４を取り外して目視しなくとも、それらの錆の発生の有無を診断することができる。
【００２１】
しかも、本実施形態では、含水率測定センサー９が予めセットされているから、そのセンサー９を利用して完全非破壊で診断を行うことができるのみならず、外部からのアクセスが困難な位置に備えられている木の含水率の測定も容易に行っていくことができる。
【００２２】
なお、センサー９からの信号線は、床下に限らず、その他の都合の良いところに延ばされてよいし、信号線無しのワイヤレスタイプのセンサーが用いられてもよい。また、信号処理器１１や発信機１２についても、予め備えられてセンサー９からの信号を常時受け付けるシステムにしてもよいし、診断時に持参してセンサー９と接続して診断を行うシステムに構成されてもよい。
【００２３】
図２に示す第２実施形態の診断方法は、注射針形の含水率測定センサー９を用い、その先端側の刺込み式感知部９ａを、屋外側から、目地５を通じて、下地材４のパネルフレーム２近傍位置に突き刺し、下地材４の含水率を検知するものである。この場合、止水材７にキズを付けることになるが、止水材７がゴム状の弾力性をもったものなどであれば、目地５の止水状態が損なわれることもないし、損なわれるとしても、止水材７のみ交換だけで済み、破壊などの場合のような大掛かりな修復工事をする必要はなく、錆の発生の有無の診断を簡易に行っていくことができる。即ち、この程度は、木含水率測定用センサー９のアクセス可能な位置に含まれる。
【００２４】
以上に、本発明の実施形態を示したが、本発明はこれに限られるものではなく、発明思想を逸脱しない範囲で各種の変更が可能である。例えば、上記の実施形態では、建物における外壁背後の軸組鉄骨の錆の発生の有無を診断する場合を示しているが、診断の対象である隠蔽鉄材に制限はなく、その他、例えば、木造建物において隠蔽状態にされて備えられている鉄製の金物類であってもよい。木造建物では木が鉄製金物類と接触して備えられているケースが極めて多く、鉄製金物類の近傍位置における木の含水率を測定することで、周囲の破壊を行うことなく、その金物類の錆の発生の有無を診断することができる。また、本発明は、建物に限らず、各種構造物における隠蔽鉄材を診断の対象とすることができるものであることはいうまでもない。
【図面の簡単な説明】
【００２５】
【図１】第１実施形態の診断システムを示す説明図である。
【図２】第２実施形態の診断方法を示す説明図である。
【図３】錆の発生しやすい箇所を示す外壁断面図である。
【符号の説明】
【００２６】
１…鉄骨柱（隠蔽鉄材）
２…パネルフレーム（隠蔽鉄材）
４…下地材（木）
９…木含水率測定用センサー
【図１】
2005106571.tif 000003
【図２】
2005106571.tif 000004
【図３】
2005106571.tif 000005